(57)【要約】  ユーザ機器装置は、無線周波数（ＲＦ）電気信号を１又は複数の別個の無線装置と直接通信するよう構成される物理レイヤ回路を有し、少なくとも１つのスケジューリング成分搬送波と少なくとも１つのスケジューリング済み成分搬送波とを含む搬送波セットに集約される複数の成分搬送波の指示を受信し、リソース無線制御シグナリングプロトコルに従い、ダウンリンク制御情報の中の前記スケジューリング成分搬送波を用いて、前記搬送波セットの前記複数の成分搬送波のスケジューリング制御情報を受信する。
2017523648.tif 000002
【特許請求の範囲】
【請求項１】
ユーザ機器（ＵＥ）であって、無線周波数（ＲＦ）電気信号を１又は複数の別個の無線装置と直接通信するよう構成される物理レイヤ回路を有し、
少なくとも１つのスケジューリング成分搬送波と少なくとも１つのスケジューリング済み成分搬送波とを含む搬送波セットに集約される複数の成分搬送波の指示を受信し、
リソース無線制御（ＲＲＣ）シグナリングプロトコルに従い、ダウンリンク制御情報（ＤＣＩ）の中の前記スケジューリング成分搬送波を用いて、前記搬送波セットの前記複数の成分搬送波のスケジューリング制御情報を受信する、
ＵＥ。
【請求項２】
前記物理レイヤ回路は、ＬＴＥ（long  term  evolution）ネットワークに対して認可された周波数帯域とＬＴＥネットワークに対して未認可の周波数帯域（ＬＴＥ−Ｕ）又はＬＡＡ（licensed  assisted  access）ネットワークの周波数帯域のうちの少なくとも１つとに従い、前記搬送波セットの前記複数の成分搬送波の中で通信を多重化するよう構成される、請求項１に記載のＵＥ。
【請求項３】
前記ＲＲＣシグナリングプロトコルに従い、前記ＤＣＩの搬送波指示子フィールド（ＣＩＦ）から前記スケジューリング制御情報を受信するよう構成される処理回路、を有する請求項１に記載のＵＥ。
【請求項４】
前記スケジューリング制御情報は、前記搬送波セットの前記少なくとも１つのスケジューリング成分搬送波と前記少なくとも１つのスケジューリング済み成分搬送波とについての構成情報を含む、請求項１に記載のＵＥ。
【請求項５】
前記スケジューリング制御情報は、前記少なくとも１つのスケジューリング済み成分搬送波の第１の直交周波数分割多重（ＯＦＤＭ）シンボルが物理ダウンリンク共有チャネル（ＰＤＳＣＨ）に含まれることを示し、前記第１のＯＦＤＭシンボルは、物理ダウンリンク制御チャネル（ＰＤＣＣＨ）のために前記スケジューリング成分搬送波の中で予約される、請求項１に記載のＵＥ。
【請求項６】
前記スケジューリング制御情報は、前記スケジューリング済み成分搬送波のダウンリンクサブフレームの中でシンボルインデックス０を有するＯＦＤＭシンボルにおけるＰＤＳＣＨの開始を示す、請求項５に記載のＵＥ。
【請求項７】
前記スケジューリング制御情報は、前記少なくとも１つのスケジューリング済み成分搬送波のダウンリンクサブフレームの第１のＯＦＤＭシンボルが拡張物理ダウンリンク制御チャネル（ＥＰＤＣＣＨ）に含まれることを示す、請求項１に記載のＵＥ。
【請求項８】
前記搬送波セットの前記少なくとも１つのスケジューリング済み成分搬送波は、前記搬送波セットの中の複数のスケジューリング済み成分搬送波を含み、前記スケジューリング制御情報は、前記搬送波セットの複数のスケジューリング済み成分搬送波に及ぶリソース割り当てを有する、請求項１に記載のＵＥ。
【請求項９】
複数のＰＤＳＣＨが複数のスケジューリング済み成分搬送波に対してスケジューリングされたことの指示を受信するよう構成される処理回路を有し、前記スケジューリングされた複数のＰＤＳＣＨは、前記ＤＣＩの中で示される同じ値のハイブリッド自動再送要求（Ｈ−ＡＲＱ）プロセス番号を有する、請求項１に記載のＵＥ。
【請求項１０】
前記スケジューリング済みＰＤＳＣＨは、前記ＤＣＩの中で示される同じ変調及び符号化方式（ＭＣＳ）を有する、請求項９に記載のＵＥ。
【請求項１１】
物理レイヤ回路は、ＬＴＥ（long  term  evolution）ネットワークに対して認可された周波数帯域を用いてネットワークノード装置又は別のＵＥのうちの少なくとも１つと通信し、ＬＴＥネットワークに対して未認可の周波数帯域又はＬＡＡ（licensed  assisted  access）ネットワークの周波数帯域のうちの少なくとも１つを用いて、アクセスポイント装置又はネットワーク局装置と通信する、よう構成される、請求項１乃至１０のいずれか一項に記載のＵＥ。
【請求項１２】
前記物理レイヤ回路に伝導性結合される複数のアンテナを有する、請求項１に記載のＵＥ。
【請求項１３】
エンドツーエンド通信ネットワークのＲＦ通信機装置を作動する方法であって、前記方法は、
少なくとも１つのスケジューリング成分搬送波と少なくとも１つのスケジューリング済み成分搬送波とを含み、前記ＲＦ通信機装置による通信のために複数の成分搬送波を搬送波セットに集約するステップと、
リソース無線制御（ＲＲＣ）シグナリングプロトコルに従い、ダウンリンク制御情報（ＤＣＩ）の中の前記スケジューリング成分搬送波を用いて、前記搬送波セットの前記複数の成分搬送波のスケジューリング制御情報を通信するステップと、
前記スケジューリング制御情報に従い、前記搬送波セットの前記複数の成分搬送波を用いて、情報を通信するステップと、
を有する方法。
【請求項１４】
前記複数の成分搬送波を用いて情報を通信するステップは、前記スケジューリング成分搬送波を用いてＬＴＥ（long  term  evolution）ネットワークに対して認可された周波数帯域を介して通信するステップと、前記少なくとも１つのスケジューリング済み成分搬送波を用いてＬＴＥネットワークに対して未認可の周波数帯域（ＬＴＥ−Ｕ）及びＬＡＡ（licensed  assisted  access）ネットワークの周波数帯域の一方又は両方を介して通信するステップと、を有する、請求項１３に記載の方法。
【請求項１５】
スケジューリング制御情報を通信するステップは、前記ＤＣＩの搬送波指示子フィールド（ＣＩＦ）を用いて前記少なくとも１つのスケジューリング済み成分搬送波の指示を通信するステップ、を有する、請求項１３に記載の方法。
【請求項１６】
前記ＲＲＣシグナリングプロトコルを用いて受信された前記スケジューリング制御情報に従い、前記少なくとも１つのスケジューリング成分搬送波と前記少なくとも１つのスケジューリング済み成分搬送波とを構成するステップ、を含む請求項１３に記載の方法。
【請求項１７】
物理ダウンリンク共有チャネル（ＰＤＳＣＨ）のために前記少なくとも１つのスケジューリング済み成分搬送波の第１の直交周波数分割多重（ＯＦＤＭ）シンボルをスケジューリングするステップ、を含み、前記第１のＯＦＤＭシンボルは、物理ダウンリンク制御チャネル（ＰＤＣＣＨ）のために前記スケジューリング成分搬送波の中で予約される、請求項１３に記載の方法。
【請求項１８】
第１のＯＦＤＭシンボルをスケジューリングするステップは、前記スケジューリング済み成分搬送波のダウンリンクサブフレームの中でシンボルインデックス０を有するＯＦＤＭシンボルにおけるＰＤＳＣＨの開始をスケジューリングするステップを含む、請求項１７に記載の方法。
【請求項１９】
拡張物理ダウンリンク制御チャネル（ＥＰＤＣＣＨ）のために前記少なくとも１つのスケジューリング済み成分搬送波のダウンリンクサブフレームの第１のＯＦＤＭシンボルをスケジューリングするステップ、を含む請求項１３に記載の方法。
【請求項２０】
前記搬送波セットの前記少なくとも１つのスケジューリング済み成分搬送波は、前記搬送波セットの中の複数のスケジューリング済み成分搬送波を含み、前記スケジューリング制御情報を通信するステップは、前記搬送波セットの複数のスケジューリング済み成分搬送波に及ぶリソース割り当てを示すステップを含む、請求項１３に記載の方法。
【請求項２１】
前記スケジューリング成分搬送波を用いて、複数のスケジューリング済み成分搬送波の複数のＰＤＳＣＨをスケジューリングするステップ、を含み、前記複数のスケジューリング済み成分搬送波の前記のスケジューリングされた複数のＰＤＳＣＨは、前記ダウンリンク制御情報の中で示される同じ値のハイブリッド自動再送要求（Ｈ−ＡＲＱ）プロセス番号を有する、請求項１３に記載の方法。
【請求項２２】
前記複数の成分搬送波の前記スケジューリング制御情報を通信するステップは、セルラネットワークノード装置を用いてユーザ機器（ＵＥ）に前記スケジューリング制御情報を通信するステップを含む、請求項１３乃至２１のいずれか一項に記載の方法。
【請求項２３】
無線通信装置のプロセッサに、
少なくとも１つのスケジューリング成分搬送波と少なくとも１つのスケジューリング済み成分搬送波とを含み、ＲＦ通信機装置による通信のための搬送波セットに複数の成分搬送波を集約させ、
リソース無線制御（ＲＲＣ）シグナリングプロトコルに従い、ダウンリンク制御情報（ＤＣＩ）の中で、前記搬送波セットの前記複数の成分搬送波のスケジューリング制御情報を通信させ、
前記スケジューリング制御情報に従い、前記搬送波セットの前記複数の成分搬送波を用いて、情報を通信させる、
コンピュータプログラム。
【請求項２４】
前記プロセッサに、前記スケジューリング成分搬送波を用いてＬＴＥ（long  term  evolution）ネットワークに対して認可された周波数帯域を介して通信させ、前記少なくとも１つのスケジューリング済み成分搬送波を用いてＬＴＥネットワークに対して未認可の周波数帯域（ＬＴＥ−Ｕ）及びＬＡＡ（licensed  assisted  access）ネットワークの周波数帯域の一方又は両方を介して通信させる、請求項２３に記載のコンピュータプログラム。
【請求項２５】
前記プロセッサに、物理ダウンリンク共有チャネル（ＰＤＳＣＨ）のためにシンボルインデックス０を有する前記スケジューリング済み成分搬送波の直交周波数分割多重（ＯＦＤＭ）シンボルをスケジューリングさせ、物理ダウンリンク制御チャネル（ＰＤＣＣＨ）のために前記スケジューリング済み成分搬送波の前記第１のＯＦＤＭシンボルを予約させる、請求項２３又は２４に記載のコンピュータプログラム。
【請求項２６】
請求項２３乃至２５のいずれか一項に記載のコンピュータプログラムを記憶したコンピュータ可読記憶媒体。
【発明の詳細な説明】
【技術分野】
【０００１】
［優先権主張］
本願は、米国仮特許出願番号第６２／０１９，７７８号、２０１４年１月１日出願の優先権の利益を主張する米国特許出願番号第１４／５７５，６６６号、２０１４年１２月１８日出願の優先権の利益を主張する。これら米国出願の全部は、ここで参照されることによりその全体が本願明細書に組み込まれる。
【０００２】
実施形態は、無線アクセスネットワークを用いる音声データの送信に関連する。幾つかの実施形態は、モバイル電話通信ネットワークに関する。
【背景技術】
【０００３】
無線アクセスネットワークは、データ通信、音声通信、及びビデオ通信のうちの１又は複数を、セルラ電話機又はスマートフォンのようなユーザ機器に配信するために使用される。幾つかの無線ネットワークは、パケット交換ネットワークであり、音声及びビデオデータのような情報をネットワークを介して送信されるときにパケット化する。音声及びビデオを通信する要求が高まるにつれ、無線アクセスネットワークがそれらのピーク容量に達するとき、サービス品質は劣化し得る。したがって、ユーザ機器との通信のための堅牢なプロトコルを提供する装置、システム、及び方法に対する一般的な要求が存在する。
【図面の簡単な説明】
【０００４】
【図１】幾つかの実施形態に従う、ネットワークの様々なコンポーネントを有するＬＴＥネットワークのエンドツーエンドネットワークアーキテクチャの一部の一例を示す。
【図２】ＬＴＥ（long  term  evolution）ネットワークのための無線リソース制御シグナリングのための情報要素の定義の一例を示す。
【図３】ＬＴＥネットワークにおける搬送波に跨るスケジューリングの説明を示す。
【図４】幾つかの実施形態に従う、ＲＦ通信機装置を作動する方法の一例のフロー図を示す。
【図５】幾つかの実施形態に従う、無線リソース制御シグナリングのための情報要素の定義の一例を示す。
【図６】幾つかの実施形態に従う、搬送波に跨るスケジューリングの説明を示す。
【図７】幾つかの実施形態によるユーザ機器の機能ブロック図を示す。
【発明を実施するための形態】
【０００５】
以下の説明及び図面は、当業者が実施するのに十分に特定の実施形態を説明する。他の実施形態は、構造的、論理的、電子的、処理及び他の変化を組み込んでも良い。幾つかの実施形態の部分及び特徴は、他の実施形態の部分及び特徴に含まれ又はそれらを置き換えても良い。請求の範囲に記載された実施形態は、該請求の範囲の全ての可能な等価物を含む。
【０００６】
図１は、幾つかの実施形態に従う、ネットワークの様々なコンポーネントを有するＬＴＥネットワークのエンドツーエンドネットワークアーキテクチャの一部の一例を示す。ネットワーク１００は、ＳＩインタフェース１１５を通じて一緒に結合される、無線アクセスネットワーク（radio  access  network：ＲＡＮ）（例えば、図示のように、Ｅ−ＵＴＲＡＮ又はevolved  universal  terrestrial  radio  access  network）１０１と、コアネットワーク１２０（例えば、ＥＰＣ（evolved  packet  core）として示される）と、を有する。便宜上及び簡単のために、コアネットワーク１２０及びＲＡＮ１０１の一部のみが例に示される。
【０００７】
コアネットワーク１２０は、移動性管理エンティティ（mobility  management  entity：ＭＭＥ）１２２と、サービングゲートウェイ（サービングＧＷ）１２４と、パケットデータネットワークゲートウェイ（packet  data  network  gateway：ＰＤＮ）１２６と、を有する。ＲＡＮは、ユーザ機器（ＵＥ）１０２と通信する（基地局として動作し得る）ｅＮＢ（enhanced  node  B）１０４を有する。ｅＮＢ１０４は、マクロｅＮＢと、低電力（ＬＰ）ｅＮＢと、を含み得る。
【０００８】
ＭＭＥは、レガシーサービングＧＰＲＳサポートノード（Serving  GPRS  Support  Node：ＳＧＳＮ）の制御プレーンと機能が同様である。ＭＭＥは、ゲートウェイ選択及び追跡領域リスト管理のような、アクセスにおける移動性特長を管理する。サービングＧＷ１２４は、ＲＡＮ１０１へ向かうインタフェースを終端し、ＲＡＮ１０１とコアネットワーク１２０との間でデータパケットをルーティングする。さらに、サービングＧＷ１２４は、ｅＮＢ間のハンドオーバのための局所移動性アンカーポイントであっても良く、３ＧＰＰ間の移動性のためのアンカーも提供しても良い。他の責務は、合法な傍受、課金、及び何らかのポリシ施行を含み得る。サービングＧＷ１２４及びＭＭＥ１２２は、１つの物理ノード又は別個の物理ノードの中に実装されても良い。ＰＤＮ  ＧＷ１２６は、パケットデータネットワーク（packet  data  network：ＰＤＮ）へ向かうＳＧｉインタフェースを終端しても良い。ＰＤＮ  ＧＷ１２６は、ＥＰＣ１２０と外部ＰＤＮとの間でデータパケットをルーティングし、ポリシ施行及び課金データ収集のための主要ノードであっても良い。ＰＤＮ  ＧＷ１２６は、非ＬＴＥアクセスを有する移動性のためにアンカーポイントを提供しても良い。外部ＰＤＮは、任意の種類のＩＰネットワーク、及びＩＰマルチメディアサブシステム（IP  Multimedia  Subsystem：ＩＭＳ）ドメインであり得る。ＰＤＮ  ＧＷ１２６及びサービングＧＷ１２４は、単一の物理ノード又は別個の物理ノードの中に実装されても良い。
【０００９】
ｅＮＢ１０４（マクロ及びマイクロ）は、無線インタフェースプロトコルを終端し、ＵＥ１０２にとって、連絡を取る最初のポイントであっても良い。幾つかの実施形態では、ｅＮＢ１０４は、無線ベアラ管理、アップリンク及びダウンリンク動的無線リソース管理及びデータパケットスケジューリング、並びに移動性管理のような無線ネットワーク制御機能（ＲＮＣ）を含むがこれに限定されないＲＡＮ１０１の種々の論理機能を満たすことができる。実施形態によると、ＵＥ１０２は、ＯＦＤＭＡ通信技術に従い、複数搬送波通信チャネルを介して、ｅＮＢ１０４とＯＦＤＭ通信信号を通信するよう構成されても良い。ＯＦＤＭ信号は、複数の直交サブキャリアを有し得る。
【００１０】
ＳＩインタフェース１１５は、ＲＡＮ１０１とＥＰＣ１２０とを分離するインタフェースである。ＳＩインタフェース１１５は、２つの部分に分けられる。つまり、ｅＮＢ１０４とサービングＧＷ１２４との間でトラフィックデータを運ぶＳＩ−Ｕ、及びｅＮＢ１０４とＭＭＥ１２２との間のシグナリングインタフェースであるＳＩ−ＭＭＥである。Ｘ２インタフェースは、ｅＮＢ１０４間のインタフェースである。Ｘ２インタフェースは、２つの部分を有する。つまり、Ｘ２−Ｃ及びＸ２−Ｕである。Ｘ２−Ｃは、ｅＮＢ１０４の間の制御プレーンインタフェースである。一方、Ｘ２−Ｕは、ｅＮＢ１０４の間のユーザプレーンインタフェースである。
【００１１】
セルラネットワークで、ＬＰセルは、標準的に、屋外信号が良好に到達しない屋内領域へカバレッジを拡張するために、又は鉄道の駅のような非常に濃密な電話使用を有する領域にネットワーク容量を追加するために、使用される。本願明細書で使用されるとき、用語「低電力（ＬＰ）ｅＮＢ」は、フェムトセル、ピコセル、又はマイクロセルのような狭いセル（マクロセルよりも狭い）を実装する任意の適切な比較的低電力のｅＮＢを表す。フェムトセルｅＮＢは、標準的に、モバイルネットワークオペレータにより、その敷地又は企業顧客に、設けられる。フェムトセルは、標準的に、家庭用ゲートウェイ又は小さな大きさであり、通常、ユーザのブロードバンド回線に接続する。一旦接続されると、フェムトセルは、モバイルオペレータのモバイルネットワークに接続し、家庭用フェムトセルのために、標準的に３０〜５０メートルの範囲の追加カバレッジを提供する。したがって、ＬＰ  ｅＮＢは、ＰＤＮ  ＧＷ１２６を通じて結合されるので、フェムトセルｅＮＢであっても良い。同様に、ピコセルは、建物内（例えば、オフィス、ショッピングモール、鉄道の駅、等）又はより最近では航空機内のような標準的に小さな領域をカバーする無線通信システムである。ピコセルｅＮＢは、通常、自身の基地局制御（ＢＳＣ）機能を通じてマクロｅＮＢのように、Ｘ２リンクを通じて別のｅＮＢに接続できる。したがって、ＬＰ  ｅＮＢは、Ｘ２インタフェースを介してマクロｅＮＢに結合されるので、ピコセルｅＮＢを実装され得る。ピコセルｅＮＢ又は他のＬＰ  ｅＮＢは、マクロｅＮＢの一部又は全部の機能を組み込むことができる。幾つかの例では、これは、アクセスポイント基地局又はエンタープライズフェムトセルとして参照され得る。
【００１２】
幾つかの実施形態では、ダウンリンクリソースグリッドは、ｅＮＢからＵＥへのダウンリンク送信のために使用されても良い。グリッドは、各々のスロットの中でダウンリンクの物理リソースである、リソースグリッドと呼ばれる、時間−周波数グリッドであっても良い。このような時間周波数プレーン表現は、ＯＦＤＭシステムの慣習であり、無線リソース割り当てのために直感的に理解できる。リソースグリッドの各列及び各行は、１つのＯＦＤＭシンボル及び１つのＯＦＤＭサブキャリアにそれぞれ対応する。時間ドメインのリソースグリッドの期間は、無線フレームの中の１つのスロットに対応する。リソースグリッドの中の最小時間周波数ユニットは、リソースエレメントとして示される。各々のリソースグリッドは、多数のリソースブロックを有し、特定の物理チャネルのリソースエレメントへのマッピングを表す。各リソースブロックは、リソースエレメントの集合を有し、周波数ドメインでは、これは、現在割り当て可能なリソースの最小量を表す。このようなリソースブロックを用いて伝達される幾つかの異なる物理ダウンリンクチャネルが存在する。これらの物理ダウンリンクチャネルのうちの２つは、物理ダウンリンク共有チャネル、及び物理ダウンリンク制御チャネルである。
【００１３】
ＰＤＳＣＨ（physical  downlink  shared  channel）は、ＵＥ１０２（図１）へのユーザデータ及び上位レイヤシグナリングを伝達する。ＰＤＣＣＨ（physical  downlink  control  channel）は、特に、ＰＤＳＣＨチャネルに関連するトランスポートフォーマット及びリソース割り当てに関する情報を伝達する。これは、ＵＥに、アップリンク共有チャネルに関連する、トランスポートフォーマット、リソース割り当て、及びハイブリッド自動再送要求（hybrid  automatic  repeat  request：Ｈ−ＡＲＱ情報）についても知らせる。標準的に、ダウンリンクスケジューリング（セルの中のＵＥに制御及び共有チャネルリソースブロックを割り当てる）は、ＵＥからｅＮＢにフィードバックされるチャネル品質情報に基づき、ｅＮＢにおいて実行される。次に、ダウンリンクリソース割り当て情報が、ＵＥのために使用される（割り当てられる）制御チャネル（ＰＤＣＣＨ）で、ＵＥへ送信される。
【００１４】
ＰＤＣＣＨは、制御情報を伝達するために、制御チャネルエレメント（control  channel  element：ＣＣＥ）を使用する。リソースエレメントにマッピングされる前に、ＰＤＣＣＨ複素数値シンボルは、先ず、４連符（quadruplets）に編成される。これは、次に、レートマッチングのためにサブブロックインターリーバを用いて順序を変えられる。各々のＰＤＣＣＨは、これらの制御チャネルエレメント（ＣＣＥ）のうちの１又は複数を用いて送信される。ここで、各々のＣＣＥは、リソースエレメントグループ（resource  element  group：ＲＥＧ）として知られる４個の物理リソースエレメントの９個のセットに対応する。４個のＱＰＳＫシンボルは、各々のＲＥＧにマッピングされる。ＰＤＣＣＨは、ダウンリンク制御情報（downlink  control  information：ＤＣＩ）のサイズ及びチャネル状態に依存して、１又は複数のＣＣＥを用いて送信され得る。異なる数のＣＣＥを有する、ＬＴＥにおいて定められた４個以上の異なるＰＤＣＣＨフォーマットが存在し得る（例えば、アグリゲーションレベル、Ｌ＝１、２、４又は８）。
【００１５】
上述のように、音声データ及びビデオデータの一方又は両方を通信する要求が増大し続けている。ＲＡＮ１０１は、例えば通信待ち時間のような不都合なネットワーク効果をもたらし得る重い通信トラフィックを経験することがある。図１に示すように、ＲＡＮは、ＵＥ装置と、ＬＰ  ｅＮＢ及び／又はマクロｅＮＢのようなｅＮＢ装置と、を含み得る。ネットワークトラフィックを軽減するために、セルラネットワーク装置による使用のために認可されていない通信スペクトルを用いて動作するネットワークからＲＡＮ装置に通信容量を提供することにより、ネットワーク容量が追加できる。通信ピークは局所的に生じることがあり、局所性を提供するＲＡＮはピーク要求を経験することがある。局所性は、ラップトップコンピュータ及びコンピュータタブレットのようなコンピューティング装置のためのＷｉＦｉネットワークを含み得る。しかし、無線セルラ装置は、ＷｉＦｉ通信スペクトル（例えば、２．４ギガヘルツ（ＧＨｚ）又は５ＧＨｚの通信チャネル）で動作するために認可されていない。幾つかの実施形態によると、ＲＡＮ（例えば、ＬＴＥネットワーク）の無線セルラ装置は、ＷｉＦｉ通信チャネルでの通信時間をスケジューリングし、装置の動作のために未認可のＷｉＦｉ通信スペクトルを用いて情報を通信する。ＬＴＥネットワーク装置に対して未認可のネットワークの使用は、未認可ＬＴＥ（unlicensed  LTE：ＬＴＥ−Ｕ）又はＬＡＡ（licensed  assisted  access）ネットワークとして参照される場合が多い。
【００１６】
ＲＦネットワーク通信の帯域幅を増大するために、セルラ電話ネットワークはキャリアアグリゲーションを使用しても良い。キャリアアグリゲーションでは、１より多い搬送波又はチャネルが、送信帯域幅を増大するためにネットワーク装置により使用される。複数のアップリンク又はダウンリンク搬送波は、連続又は非連続帯域の中でバンドルされ得る。連続帯域は、複数の隣接周波数帯域を１つの搬送波又はチャネルに結合することを表す。非連続帯域は、非隣接周波数帯域を１つの搬送波又はチャネルに結合することを表す。非連続チャネルの集約（アグリゲーション）は、単一の装置（例えば、ＵＥ）の中に複数の通信機を必要とする場合がある。
【００１７】
ＬＴＥプラットフォームをＬＴＥ−Ｕに拡張するために、ＬＴＥ−Ｕの周波数帯域は、キャリアアグリゲーションのために利用可能な搬送波として考えられる。しかしながら、現在のＬＴＥプラットフォームは、ＬＴＥ−Ｕにおいて搬送波を実装する制御シグナリングを提供する。ＬＴＥ−Ｕを実装する制御シグナリングの任意の拡張は、レガシネットワーク端末装置との後方互換性を提供すべきである。
【００１８】
搬送波に跨るスケジューリングが、集約された搬送波に跨り通信されるデータ（例えば、音声データ又はビデオデータ）をスケジューリングするために、及び異なる成分搬送波のダウンリンクデータをネットワーク端末装置に知らせるために、使用されても良い。搬送波に跨るスケジューリングでは、スケジューリング及びリソースは、同じ搬送波に存在しなくても良い。
【００１９】
スケジューリング情報は、リソースとして主成分搬送波を用いて通信されても良く、データは、副成分搬送波を用いて通信されても良い。主及び副成分搬送波は、異なる搬送波に対応しても良く、連続又は非連続であっても良い。
【００２０】
副成分搬送波は、ＵＥの無線リソース制御（Radio  Resource  Control：ＲＲＣ）レイヤにより扱われても良い。ＭＡＣ回路は、ＭＡＣ回路制御要素により開始され又は停止されるとき、集約された成分搬送波に対して多重化エンティティとして動作しても良い。ユーザは、異なる成分搬送波にスケジューリングされ得る。ＵＥは、別の搬送波のリソース割り当てと共に、１つの搬送波でＰＤＣＣＨ制御チャネルを受信し得る。
【００２１】
現在、ＬＴＥ−Ａ（advanced  long  term  evolution）ネットワークでは、搬送波に跨るスケジューリングは、成分搬送波の各々をスケジューリングするために、ＤＣＩの送信を要求する。ＤＣＩは、ＰＤＣＣＨの中で又は拡張ＰＤＣＣＨにより通信される。ＤＣＩは、ＰＤＳＣＨ送信のためにスケジューリングされる１つのサービングセル又はリソースセルを示す搬送波指示子フィールド（carrier  indicator  field：ＣＩＦ）を含む。図２は、ＬＴＥ−ＡネットワークのＲＲＣシグナリングのためのCrossCarrierConfigSchedulingConfig情報要素の定義の一例を示す。搬送波に跨るスケジューリングでは、スケジューリングセルの物理セル識別子は、パラメータスケジューリングCellId−r１０により構成される。１つのスケジューリングセルは、１又は複数のスケジューリング済みセルのためにＰＤＳＣＨをスケジューリングしても良い。異なるスケジューリングセルの間で区別するために、ＤＣＩのＣＩＦは、サービングセルインデックスを示す。ＣＩＦの値は、ＰＤＳＣＨ送信のためにスケジューリングされた搬送波のインデックスを定める。現在、最大で８個の可能な搬送波を示すために８個の値がＣＩＦによりサポートできる。しかし、現在、５個の要素だけがＬＴＥ−Ａにより使用される。
【００２２】
より高次のキャリアアグリゲーションが望ましい場合（例えば、未認可帯域にまで成分搬送波を拡張するために）、同じＵＥのために同じサブフレームの中で複数のＰＤＣＣＨ送信が必要であり得る。図３は、ＬＴＥ−Ａにおける搬送波に跨るスケジューリングの説明を示す。成分搬送波１は、スケジューリング情報を含み、成分搬送波１、成分搬送波３、及び成分搬送波２をそれぞれスケジューリングするために、同じサブフレーム３１０の中のＰＤＣＣＨ送信３０５Ａ、３０５Ｂ、３０５Ｃを示す。しかしながら、単一のサブフレームの中で複数のＰＤＣＣＨを送信することは、（例えば、ＰＤＣＣＨブロックの可能性により）困難な場合がある。複数のＰＤＣＣＨ送信に対する必要性を軽減するために、ＣＩＦは、異なるレベルの通信に拡張され移行される。これにより、単一のＰＤＣＣＨ送信を複数の成分搬送波にスケジューリングすること及びＬＴＥ−Ｕ空間に位置する成分搬送波にスケジューリングすることを可能にする。
【００２３】
図４は、エンドツーエンド通信ネットワークのＲＦ通信機装置を作動する方法４００の一例のフロー図を示す。４０５で、複数の成分搬送波は、ＲＦ通信機装置による通信のための搬送波セットに集約される。集約された搬送波は、少なくとも１つのスケジューリング成分搬送波と、少なくとも１つのスケジューリング済み成分搬送波と、を含む。特定の実施形態では、スケジューリング成分搬送波は、主成分搬送波であり、スケジューリング済み成分搬送波は、副成分搬送波又はリソース成分搬送波である。キャリアアグリゲーションのために使用される複数のスケジューリング成分搬送波及び複数のスケジューリング済み成分搬送波が存在しても良い。
【００２４】
４１０で、搬送波セットの複数の成分搬送波のためのスケジューリング制御情報は、スケジューリング成分搬送波を用いて通信される。スケジューリング情報は、ＲＲＣシグナリングプロトコルにおいて新しいＲＲＣパラメータにより構成される。新しいパラメータは、ＰＤＳＣＨを搬送波セットの成分搬送波にスケジューリングするために使用されるＣＩＦの値を示す情報要素である。図５は、ＲＲＣシグナリングのためのCrossCarrierConfigSchedulingConfig情報要素の定義の一実施形態を示す。同じ値のcarrierlndicatorField−r１３を有する成分搬送波は、同時ＰＤＳＣＨスケジューリングのための搬送波セットの中の成分搬送波のセットを決定する。carrierlndicatorField−ｒ１３は、セット｛５，６，７｝のなかの１つの値を取っても良く、搬送波セットのスケジューリングにおいて使用されるＣＩＦ値を定める。同じ値のcarrierlndicatorFieldｒ１３により構成できる成分搬送波の最大数について制限は無い。これは、ＬＴＥ−Ｕ空間に位置する成分搬送波のような、スケジューリングされ得るスケジュール成分搬送波の拡張を許容する。
【００２５】
図４を参照すると、４１５で、情報は、スケジューリング制御情報に従い、搬送波セットの複数の成分搬送波を用いて通信される。図６は、幾つかの実施形態に従う、搬送波に跨るスケジューリングの説明を示す。１つのサブフレーム６１０の中の単一のＰＤＣＣＨ６０５Ａの送信は、成分搬送波１〜３の全部をスケジューリングできる。
【００２６】
図５の実施形態は、搬送波スケジューリングのビット０〜４の中のＰＤＳＣＨ開始パラメータの拡張も示す。現在、ＬＴＥネットワーク（例えば、ＬＴＥ−Ａ）では、サブフレームの中のＰＤＳＣＨ送信は、ＯＦＤＭシンボル１〜１３を占有できる。ＯＦＤＭシンボル０の開始は、サポートされない。図２の例に示すように、ＰＤＳＣＨの開始は、シンボルインデックス１を有するＯＦＤＭまで許可されない。図５及び図６の実施形態は、ＰＤＳＣＨの定義がシンボルインデックス０における送信を含むよう拡張されることを示す。これは、未認可スペクトルでのＰＤＳＣＨ送信が、シンボルインデックス０を有するＯＦＤＭシンボルを含むダウンリンクサブフレームの中の任意のＯＦＤＭシンボルから開始できること意味する。これは、増加した数の未認可スペクトルの時間ドメインリソースを、ＰＤＳＣＨ送信のために使用することを許容にすることにより、未認可スペクトルの帯域幅を増大する。
【００２７】
図７は、幾つかの実施形態によるＵＥの機能ブロック図を示す。ＵＥ７００は、ＵＥ１０２（図１）としての使用に適しても良い。幾つかの実施形態では、ＵＥ７００は、パーソナルデジタルアシスタント（ＰＤＡ）、無線通信能力を備えるラップトップ若しくはポータブルコンピュータ、ウェブタブレット、無線電話機、スマートフォン、無線ヘッドセット、ページャ、インスタントメッセージング装置、デジタルカメラ、アクセスポイント、テレビジョン、医療機器（例えば、心拍モニタ、血圧モニタ、等）、又は無線で情報を受信し及び／又は送信できる他の装置のようなポータブル無線通信装置の部分であり得る。幾つかの実施形態では、ＵＥ７００は、キーボード、ディスプレイ、不揮発性メモリポート、複数のアンテナ、グラフィックプロセッサ、アプリケーションプロセッサ、スピーカ、及び他のモバイル装置要素のうちの１又は複数を有し得る。ディスプレイは、タッチスクリーンを含むＬＣＤであり得る。
【００２８】
ＵＥ７００は幾つかの別個の機能要素を有するとして示されるが、機能要素のうちの１又は複数は、結合され、デジタル信号プロセッサ（digital  signal  processor：ＤＳＰ）を含む処理要素のようなソフトウェアにより設定される要素及び／又はハードウェア要素の組合せにより実装され得る。例えば、幾つかの要素は、１又は複数のマイクロプロセッサ、ＤＳＰ、ＡＳＩＣ（application  specific  integrated  circuit）、ＲＦＩＣ（radio−frequency  integrated  circuit）、ＲＦＩＣ（radio−frequency  integrated  circuit）、及び少なくとも本願明細書に記載の機能を実行する種々のハードウェア及び論理回路の組合せを有し得る。幾つかの実施形態では、機能要素は、１又は複数の処理要素で動作する１又は複数のプロセスを表し得る。
【００２９】
実施形態は、ハードウェア、ファームウェア、及びソフトウェアのうちの１つ又はそれらの組合せで実施され得る。実施形態は、本願明細書に記載の動作を実行するために少なくとも１つのプロセッサにより読み出され実行され得る、コンピュータ可読記憶媒体に格納された命令として実施されても良い。コンピュータ可読記憶媒体は、機械（例えばコンピュータ）により読み出し可能な形式で情報を格納する任意の非一時的メカニズムを含み得る。例えば、コンピュータ読み取り可能な記憶媒体は、読み出し専用メモリ（ＲＯＭ）、ランダムアクセスメモリ（ＲＡＭ）、磁気ディスク記憶媒体、光学記憶媒体、フラッシュメモリ装置及びその他の記憶装置及び媒体を包含しうる。これらの実施形態では、１又は複数のプロセッサは、本願明細書に記載の動作を実行するために、命令により構成されても良い。
【００３０】
ＵＥ７００は、物理レイヤ（ＰＨＹ）回路７０２に導電性結合される１又は複数のアンテナ７０１を用いて１又は複数の別個の無線装置（例えば、図１のｅＮＢ１０４）と無線周波数（ＲＦ）電気信号を直接通信するよう構成される物理レイヤ（ＰＨＹ）回路７０２を有する。ＵＥ７００は、無線媒体へのアクセスを制御する媒体アクセス制御レイヤ（ＭＡＣ）回路７０４も有する。ＭＡＣ回路７０４は、無線媒体を介する通信のためにフレーム又はパケットを構成するよう、無線媒体を争うよう構成されても良い。ＵＥ７００は、本願明細書に記載の動作を実行するよう構成される処理回路７０６及びメモリ７０８も有しても良い。メモリ７０８は、ＨＥＷフレームを構成し及び送信する動作を実行し並びに本願明細書に記載の種々の動作を実行するために処理回路７０６を構成するための情報を格納しても良い。
【００３１】
幾つかの実施形態では、信号を送信し及び受信するよう構成される２以上のアンテナが物理レイヤ回路に結合されても良い。ＵＥ７００により利用されるアンテナ７０１は、例えばダイポールアンテナ、モノポールアンテナ、パッチアンテナ、ループアンテナ、マイクロストリップアンテナ、又はＲＦ信号の送信に適する他の種類のアンテナを含む１又は複数の指向性又は全方向性アンテナを有し得る。幾つかの実施形態では、２以上のアンテナの代わりに、複数の開口を備える単一のアンテナが使用されても良い。これらの実施形態では、各々の開口は、別個のアンテナとして考えられる。幾つかの多入力多出力（multiple−input  multiple−output：ＭＩＭＯ）実施形態では、アンテナは、アンテナの各々と送信局のアンテナとの間に生じ得る空間ダイバーシティ及び異なるチャネル特性を利用するために、効果的に分離されても良い。幾つかのＭＩＭＯ実施形態では、アンテナは、最大で波長の１／１０又はそれ以上まで分けられても良い。
【００３２】
ＰＨＹ回路７０２は、変調／復調、アップコンバージョン／ダウンコンバージョン、フィルタリング、増幅、等の回路を有しても良い。幾つかの実施形態では、ＵＥ７００の処理回路７０６は、１又は複数のプロセッサを有しても良い。ＰＨＹ回路７０２は、１つの搬送波セットに集約された複数の成分搬送波の指示を受信するよう構成される。複数の成分搬送波は、少なくとも１つのスケジューリング成分搬送波と、少なくとも１つのスケジューリング済み成分搬送波と、を含む。スケジューリング済み成分搬送波の一例はリソースである。
【００３３】
ＰＨＹ回路７０２は、スケジューリング成分搬送波を用いて、搬送波セットの複数の成分搬送波のためのスケジューリング制御情報を受信する。幾つかの実施形態では、スケジューリング情報は、ＲＲＣシグナリングプロトコルに従いＤＣＩに含まれる。幾つかの実施形態では、スケジューリング情報は、ＤＣＩのＣＩＦに含まれる。スケジューリング制御情報は、特定の物理チャネルをスケジューリング済み成分搬送波にマッピングする。スケジューリング制御情報は、スケジューリング成分搬送波及びスケジューリング済み成分搬送波の構成情報も含み得る。
【００３４】
情報は、スケジューリング制御情報に従い、搬送波セットの複数の成分搬送波を用いて通信される。幾つかの実施形態では、ＰＨＹ回路７０２は、スケジューリング制御情報に従い複数の成分を多重化する。幾つかの例では、ＰＨＹ回路７０２は、ＬＴＥ（long  term  evolution）ネットワークに対して認可された周波数帯域とＬＴＥネットワークに対して未認可の周波数帯域（ＬＴＥ−Ｕ）又はＬＡＡ（licensed  assisted  access）ネットワークの周波数帯域のうちの少なくとも１つとを用いて、複数の成分を多重化する。認可ＬＴＥ周波数帯域の中に定められないリソースは、未認可周波数帯域の中のリソースを指定するために使用できる。スケジューリング制御情報は、未認可周波数帯域に成分搬送波にマッピングしても良い。特定の実施形態では、スケジューリング制御情報は、搬送波セットの複数のスケジューリング済み成分搬送波に及ぶリソース割り当て情報（例えば、マッピング）を含む。
【００３５】
幾つかの実施形態では、ＵＥ７００は、ＯＦＤＭＡ通信技術に従い、複数搬送波通信チャネルを介して、ＯＦＤＭ通信信号を通信するよう構成されても良い。ＯＦＤＭ信号は、複数の直交サブキャリアを有し得る。幾つかの広帯域複数搬送波の実施形態では、ｅＮＢは、ＷｉＭＡＸ（Worldwide  Interoperability  for  Microwave  Access）通信ネットワーク又は３ＧＰＰ（３rd  Generation  Partnership  Project）ＵＴＲＡＮ（Universal  Terrestrial  Radio  Access  Network）又はＬＴＥ通信ネットワーク又は高速ダウンリンク／アップリンクアクセス（high  speed  downlink/uplink  access：ＨＳＤＰＡ／ＨＳＵＰＡ）通信ネットワークのような、広帯域無線アクセス（broadband  wireless  access：ＢＷＡ）ネットワーク通信ネットワークの部分であっても良い。しかしながら、本発明の範囲は、これに関して限定されない。
【００３６】
上述の広帯域複数搬送波の実施形態では、ＵＥ７００及びｅＮＢは、直交周波数分割多重アクセス（orthogonal  frequency  division  multiple  access：ＯＦＤＭＡ）技術に従い通信するよう構成されても良い。幾つかの実施形態では、ＯＦＤＭＡ技術は、異なるアップリンク及びダウンリンクスペクトルを使用する周波数ドメイン多重化（frequency  domain  duplexing：ＦＤＤ）技術、又はアップリンク及びダウンリンクに同じスペクトルを使用する時間ドメイン多重化（time−domain  duplexing：ＴＤＤ）技術であっても良い。
【００３７】
スケジューリング成分搬送波の中の第１のＯＦＤＭシンボルは、ＰＤＣＣＨのために予約されても良い。幾つかの実施形態では、スケジューリング済み成分搬送波の第１のＯＦＤＭシンボルは、ＰＤＳＣＨに含まれても良い。上述のように、新しいＲＲＣパラメータは、ダウンリンクサブフレームのインデックス０（ゼロ）を有するＯＦＤＭシンボルをＰＤＳＣＨに含ませる。
【００３８】
拡張物理ダウンリンク制御チャネル（Enhanced  physical  downlink  control  channel：ＥＰＤＣＣＨ）は、制御チャネル容量を増大する１つの方法である。例えばＰＤＳＣＨに拡張ＣＣＥを含ませることにより、追加の制御情報がＰＤＣＣＨサブフレームを超えて含まれ得る。幾つかの実施形態では、ＤＣＩに含まれるスケジューリング情報は、少なくとも１つのスケジューリング済み成分搬送波のダウンリンクサブフレームの第１のＯＦＤＭシンボルがＥＰＤＣＣＨに含まれることを示す。ゼロのシンボルインデックスを有するＯＦＤＭシンボルが利用可能なので、ＯＦＤＭシンボル０はＥＰＤＣＣＨに含まれ得る。
【００３９】
上述のように、ＰＤＣＣＨの中のＤＣＩは、ＵＥに、ダウンリンク共有チャネルに関連する、トランスポートフォーマット、リソース割り当て、及びハイブリッド自動再送要求（hybrid  automatic  repeat  request：Ｈ−ＡＲＱ）情報について知らせる。ＰＤＣＣＨの中で送信される１つのＤＣＩは搬送波セットの中の複数の成分搬送波についての制御情報を含み得るので、ＤＣＩの中の制御パラメータは、複数のＰＤＳＣＨに対して共通であっても良い。例えば、複数のＰＤＳＣＨは、ＤＣＩの中で示される同じ値のＨ−ＡＲＱプロセス番号を有しても良い。別の例では、複数のＰＤＳＣＨは、ＤＣＩの中で示される同じ変調及び符号化方式（modulation  and  coding  scheme：ＭＣＳ）を有しても良い。さらに別の例では、ＤＣＩの中で示されるリソース割り当ては、成分搬送波のセットについて同じであっても良い。
【００４０】
提供された幾つかの例は、セルラ装置ネットワークの容量を増大することを目的として、未認可無線アクセスネットワークリソースにアクセスするセルラ装置を記載した。ＬＴＥネットワークのメカニズムは、未認可通信空間への拡張のために拡張される。
【００４１】
＜補注、及び例＞
例１は、（ユーザ機器（ＵＥ）のような）主題を含み、無線周波数（ＲＦ）電気信号を１又は複数の別個の無線装置と直接通信するよう構成される物理レイヤ回路を有し、少なくとも１つのスケジューリング成分搬送波と少なくとも１つのスケジューリング済み成分搬送波とを含む搬送波セットに集約される複数の成分搬送波の指示を受信し、リソース無線制御（ＲＲＣ）シグナリングプロトコルに従い、ダウンリンク制御情報（ＤＣＩ）の中の前記スケジューリング成分搬送波を用いて、前記搬送波セットの前記複数の成分搬送波のスケジューリング制御情報を受信する。
【００４２】
例２では、例１の主題は、任意で、ＬＴＥ（long  term  evolution）ネットワークに対して認可された周波数帯域とＬＴＥネットワークに対して未認可の周波数帯域（ＬＴＥ−Ｕ）又はＬＡＡ（licensed  assisted  access）ネットワークの周波数帯域のうちの少なくとも１つとに従い、前記搬送波セットの前記複数の成分搬送波の中で通信を多重化するよう構成される前記物理レイヤ回路を含む。
【００４３】
例３では、例１及び２の一方又は両方の主題は、任意で、前記ＲＲＣシグナリングプロトコルに従い、前記ＤＣＩの搬送波指示子フィールド（ＣＩＦ）から前記スケジューリング制御情報を受信するよう構成される処理回路、を有する。
【００４４】
例４では、例１〜３のうちの１つ又は任意の組合せの主題は、任意で、前記搬送波セットの前記少なくとも１つのスケジューリング成分搬送波と前記少なくとも１つのスケジューリング済み成分搬送波とについての構成情報を含む前記スケジューリング制御情報を含む。
【００４５】
例５では、例１〜３のうちの１つ又は任意の組合せの主題は、任意で、前記少なくとも１つのスケジューリング済み成分搬送波の第１の直交周波数分割多重（ＯＦＤＭ）シンボルが物理ダウンリンク共有チャネル（ＰＤＳＣＨ）に含まれることを示し、前記第１のＯＦＤＭシンボルは、物理ダウンリンク制御チャネル（ＰＤＣＣＨ）のために前記スケジューリング成分搬送波の中で予約される、前記スケジューリング制御情報を含む。
【００４６】
例６では、例１〜５のうちの１つ又は任意の組合せの主題は、任意で、前記スケジューリング済み成分搬送波のダウンリンクサブフレームの中でシンボルインデックス０を有するＯＦＤＭシンボルにおけるＰＤＳＣＨの開始を示す前記スケジューリング情報を含む。
【００４７】
例７では、例１〜６のうちの１つ又は任意の組合せの主題は、任意で、前記少なくとも１つのスケジューリング済み成分搬送波のダウンリンクサブフレームの第１のＯＦＤＭシンボルが拡張物理ダウンリンク制御チャネル（ＥＰＤＣＣＨ）に含まれることを示す前記スケジューリング情報を含む。
【００４８】
例８では、例１〜７のうちの１つ又は任意の組合せの主題は、任意で、前記搬送波セットの中の複数のスケジューリング済み成分搬送波を含み、前記スケジューリング制御情報は、前記搬送波セットの複数のスケジューリング済み成分搬送波に及ぶリソース割り当てを有する、前記搬送波セットの前記少なくとも１つのスケジューリング済み成分搬送波を含む。
【００４９】
例９では、例１〜８のうちの１つ又は任意の組合せの主題は、任意で、複数のＰＤＳＣＨが複数のスケジューリング済み成分搬送波に対してスケジューリングされたことの指示を受信するよう構成される処理回路を有し、前記スケジューリングされた複数のＰＤＳＣＨは、前記ＤＣＩの中で示されるハイブリッド自動再送要求（Ｈ−ＡＲＱ）プロセス番号の同じ値を有する。
【００５０】
例１０では、例１〜９のうちの１つ又は任意の組合せの主題は、任意で、前記ＤＣＩの中で示される同じ変調及び符号化方式（ＭＣＳ）を有する前記スケジューリングされたＰＤＳＣＨを含む。
【００５１】
例１１では、例１〜１０のうちの１つ又は任意の組合せの主題は、任意で、物理レイヤ回路であって、ＬＴＥ（long  term  evolution）ネットワークに対して認可された周波数帯域を用いてネットワークノード装置又は別のＵＥのうちの少なくとも１つと通信し、ＬＴＥネットワークに対して未認可の周波数帯域又はＬＡＡ（licensed  assisted  access）ネットワークの周波数帯域のうちの少なくとも１つを用いて、アクセスポイント装置又はネットワーク局装置と通信する、よう構成される、物理レイヤ回路を含む。
【００５２】
例１２では、例１〜１１のうちの１つ又は任意の組合せの主題は、任意で、前記物理レイヤ回路に伝導性結合される複数のアンテナを有する。
【００５３】
例１３は、（方法、動作を実行する手段、又は機械により実行されると該機械に動作を実行させる命令を含む機械可読媒体のような）主題を含み、又は任意で、例１〜１２のうちの１つ又は任意の組合せの主題と結合でき、少なくとも１つのスケジューリング成分搬送波と少なくとも１つのスケジューリング済み成分搬送波とを含み、ＲＦ通信機装置による通信のための搬送波セットに複数の成分搬送波を集約するステップと、リソース無線制御（ＲＲＣ）シグナリングプロトコルに従い、ダウンリンク制御情報（ＤＣＩ）の中の前記スケジューリング成分搬送波を用いて、前記搬送波セットの前記複数の成分搬送波のスケジューリング制御情報を通信するステップと、前記スケジューリング制御情報に従い、前記搬送波セットの前記複数の成分搬送波を用いて、情報を通信するステップと、を有する。
【００５４】
例１４では、例１３の主題は、任意で、前記スケジューリング成分搬送波を用いてＬＴＥ（long  term  evolution）ネットワークに対して認可された周波数帯域を介して通信するステップと、前記少なくとも１つのスケジューリング済み成分搬送波を用いてＬＴＥネットワークに対して未認可の周波数帯域（ＬＴＥ−Ｕ）及びＬＡＡ（licensed  assisted  access）ネットワークの周波数帯域の一方又は両方を介して通信するステップと、を有する。
【００５５】
例１５では、例１３及び１４のうちの一方又は両方の主題は、任意で、前記ＤＣＩの搬送波指示子フィールド（ＣＩＦ）を用いて前記少なくとも１つのスケジューリング済み成分搬送波の指示を通信するステップ、を有する。
【００５６】
例１６では、例１３〜１５の主題は、任意で、前記ＲＲＣシグナリングプロトコルを用いて受信された前記スケジューリング制御情報に従い、前記少なくとも１つのスケジューリング成分搬送波と前記少なくとも１つのスケジューリング済み成分搬送波とを構成するステップ、を含む。
【００５７】
例１７では、例１３〜１６のうちの１つ又は任意の組合せの主題は、任意で、物理ダウンリンク共有チャネル（ＰＤＳＣＨ）のための前記少なくとも１つのスケジューリング済み成分搬送波の第１の直交周波数分割多重（ＯＦＤＭ）シンボルをスケジューリングするステップを有し、前記第１のＯＦＤＭシンボルは、物理ダウンリンク制御チャネル（ＰＤＣＣＨ）のための前記スケジューリング成分搬送波の中で予約される。
【００５８】
例１８では、例１３〜１７のうちの１つ又は任意の組合せの主題は、任意で、前記スケジューリング済み成分搬送波のダウンリンクサブフレームの中でシンボルインデックス０を有するＯＦＤＭシンボルにおけるＰＤＳＣＨの開始をスケジューリングするステップを含む。
【００５９】
例１９では、例１３〜１８のうちの１つ又は任意の組合せの主題は、任意で、拡張物理ダウンリンク制御チャネル（ＥＰＤＣＣＨ）のための前記少なくとも１つのスケジューリング済み成分搬送波のダウンリンクサブフレームの第１のＯＦＤＭシンボルをスケジューリングするステップを含む。
【００６０】
例２０では、例１３〜１９のうちの１つ又は任意の組合せの主題は、任意で、前記搬送波セットの中の複数のスケジューリング済み成分搬送波を含み、前記スケジューリング制御情報を通信するステップは、前記搬送波セットの複数のスケジューリング済み成分搬送波に及ぶリソース割り当てを示すステップを含む。
【００６１】
例２１では、例１３〜２０のうちの１つ又は任意の組合せの主題は、任意で、前記スケジューリング成分搬送波を用いて、複数のスケジューリング済み成分搬送波の複数のＰＤＳＣＨをスケジューリングするステップ、を含み、前記複数のスケジューリング済み成分搬送波の前記のスケジューリングされた複数のＰＤＳＣＨは、前記ダウンリンク制御情報の中で示されるハイブリッド自動再送要求（Ｈ−ＡＲＱ）プロセス番号の同じ値を有する。
【００６２】
例２２では、例１３〜２１のうちの１つ又は任意の組合せの主題は、任意で、前記ＤＣＩの中で示される同じ変調及び符号化方式（ＭＣＳ）を有する、前記複数のスケジューリング済み成分搬送波の、前記スケジューリングされたＰＤＳＣＨを含む。
【００６３】
例２３では、例１３〜２２のうちの１つ又は任意の組合せの主題は、任意で、セルラネットワークノード装置を用いてユーザ機器（ＵＥ）に前記スケジューリング制御情報を通信するステップを含む。
【００６４】
例２４では、例１３〜２３のうちの１つ又は任意の組合せの主題は、任意で、前記スケジューリング情報に従い、ＬＴＥ（long  term  evolution）ネットワークに対して認可された周波数帯域を用いてネットワークノード装置又は別のＵＥのうちの少なくとも１つと通信するステップと、ＬＴＥネットワークに対して未認可の周波数帯域又はＬＡＡ（licensed  assisted  access）ネットワークの周波数帯域のうちの少なくとも１つを用いて、アクセスポイント装置又はネットワーク局装置と通信するステップと、を含む。
【００６５】
例２５は、以下の主題、又は任意で例１３〜２４のうちの１つ又は任意の組合せの主題と組み合わされる主題を含み、このような主題は例えば、命令を含むコンピュータ可読記憶媒体であって、該命令は、無線通信装置のハードウェア処理回路により実行されると、前記無線通信装置に、少なくとも１つのスケジューリング成分搬送波と少なくとも１つのスケジューリング済み成分搬送波とを含み、ＲＦ通信機装置による通信のための搬送波セットに複数の成分搬送波を集約させ、リソース無線制御（ＲＲＣ）シグナリングプロトコルに従い、ダウンリンク制御情報（ＤＣＩ）の中で、前記搬送波セットの前記複数の成分搬送波のスケジューリング制御情報を通信させ、前記スケジューリング制御情報に従い、前記搬送波セットの前記複数の成分搬送波を用いて、情報を通信させる。
【００６６】
例２６では、例２５の主題は、任意で、前記ハードウェア処理回路により実行されると、前記無線通信装置に、前記スケジューリング成分搬送波を用いてＬＴＥ（long  term  evolution）ネットワークに対して認可された周波数帯域を介して通信させ、前記少なくとも１つのスケジューリング済み成分搬送波を用いてＬＴＥネットワークに対して未認可の周波数帯域（ＬＴＥ−Ｕ）及びＬＡＡ（licensed  assisted  access）ネットワークの周波数帯域の一方又は両方を介して通信させる、命令を含む。
【００６７】
例２７では、例２５及び２６の一方又は両方の主題は、任意で、前記ハードウェア処理回路により実行されると、前記無線通信装置に、物理ダウンリンク共有チャネル（ＰＤＳＣＨ）のためにシンボルインデックス０を有する前記スケジューリング済み成分搬送波の直交周波数分割多重（ＯＦＤＭ）シンボルをスケジューリングさせ、物理ダウンリンク制御チャネル（ＰＤＣＣＨ）のために前記スケジューリング済み成分搬送波の前記第１のＯＦＤＭシンボルを予約させる、命令を含む。
【００６８】
例２８では、例２５〜２７のうちの１つ又は任意の組合せの主題は、任意で、前記ハードウェア処理回路により実行されると、前記無線通信装置に、拡張物理ダウンリンク制御チャネル（ＥＰＤＣＣＨ）のための前記少なくとも１つのスケジューリング済み成分搬送波のダウンリンクサブフレームの第１のＯＦＤＭシンボルをスケジューリングさせる、命令を含む。
【００６９】
例２９は、以下の主題、又は任意で、例１〜２８のいずれか１つ又は複数のうちの任意の部分又は任意の部分の組合せと結合され得る主題を含み、このような主題は例えば、例１〜２８の機能の任意の１又は複数を実行する手段、又は命令を含む機械可読媒体であって、該命令は機械により実行されると該機械に例１〜２８の機能の任意の１又は複数を実行させる機械可読媒体、を含む。
【００７０】
上述の非限定的な例は、任意の順序又は組合せで結合され得る。
【００７１】
上述の詳細な説明は、詳細な説明の一部を形成する添付の図面の参照を含む。図面は、例として、本発明が実施され得る特定の実施形態を示す。これらの実施形態は、本願明細書で「例」としても参照される。本文書の中で参照される全ての刊行物、特許、及び特許文書は、参照により個々に組み込まれるように、それらの全体が本願明細書に照により組み込まれる。本文書と参照により組み込まれるこれらの文書との間の矛盾した使用がある場合、組み込まれた参考文献の中の使用は、本文書の使用を補完するものと考えられるべきである。和解しがたい矛盾については、本文書における使用が支配する。
【００７２】
本願明細書に記載の方法の例は、少なくとも部分的に、機械又はコンピュータにより実施され得る。幾つかの例は、電子装置に上述の例の中で記載されたような方法を実行させるよう構成される命令をエンコードされたコンピュータ可読記憶媒体又は機械可読記憶媒体を含み得る。このような方法の一実装は、マイクロコード、アセンブリ言語コード、高級言語コード、等のようなコードを含みうる。このようなコードは、種々の方法を実行するためのコンピュータ可読命令を含み得る。コードは、コンピュータプログラムの部分を形成しても良い。コードは、実行中に又は他の時間において、１又は複数の揮発性、非一時的、又は不揮発性有形コンピュータ可読媒体に明白に格納され得る。これらの有形コンピュータ可読記憶媒体の例は、限定ではなく、ハードディスク、取り外し可能磁気ディスク、取り外し可能光ディスク（例えば、コンパクトディスク及びデジタルビデオディスク）、磁気カセット、メモリカード又はスティック、ランダムアクセスメモリ（ＲＡＭ）、読み出し専用メモリ（ＲＯＭ）、等を含み得る。
【００７３】
読者が技術的開示の特性及び主旨を解明できるように、要約を要求する３７Ｃ．Ｆ．Ｒ  Section１．７２（ｂ）に従い、要約が提供される。要旨は請求項の範囲又は意味を解釈又は限定するために用いられるべきでないことが理解される。ここで、添付の請求項は、各請求項が別個の実施形態として存在するとして、詳細な説明に組み込まれる。また、以下の請求の範囲では、用語「含む、有する（including、comprising）」は、制約ではない。つまり、その後に列挙される要素を含むシステム、装置、物品、又は処理は、依然としてその請求項の範囲に含まれると考えられる。さらに、以下の請求の範囲では、用語「第１の」、「第２の」、「第３の」等は、単にラベルとして用いられ、それらの目的語に数値的要件を課すことを意図しない。
【図１】
2017523648.tif 000003
【図２】
2017523648.tif 000004
【図３】
2017523648.tif 000005
【図４】
2017523648.tif 000006
【図５】
2017523648.tif 000007
【図６】
2017523648.tif 000008
【図７】
2017523648.tif 000009
【国際調査報告】
2017523648.tif 000010
2017523648.tif 000011